(57)【要約】【課題】液滴を吐出して形成する膜パターンの膜厚均一性を向上させた液滴吐出ヘッドの駆動方法、液滴吐出装置、及び電気光学装置を提供する。【解決手段】複数のノズルの各々に対し吐出する液滴の重量に応じた「１」〜「４」のランクを対応付けた。また、吐出する液滴の実重量が予め規定した所定の基準重量になるように、各ランクのノズルに対応する駆動波形信号ＣＯＭ（第１駆動波形信号ＣＯＭＡ、第２駆動波形信号ＣＯＭＢ、第３駆動波形信号ＣＯＭＣ、第４駆動波形信号ＣＯＭＤ）を生成した。そして、描画データに基づいて選択される各圧電素子に、ノズルのランクに対応する駆動波形信号ＣＯＭを供給し、選択されたノズルから基準重量の液滴を吐出させた。【選択図】図７
2008136926.tif 000002
【特許請求の範囲】
【請求項１】
複数のノズルの各々に対し吐出する液滴の重量に応じたランクを対応付けるランク設定
工程と、
前記ノズルのアクチュエータを駆動して前記液滴の重量を予め規定した所定の重量に較
正する駆動波形を前記ランクごとに生成する駆動波形生成工程と、
描画データに基づいて選択される前記ノズルのアクチュエータに対し前記選択されるノ
ズルの前記ランクに対応する前記駆動波形を供給し、前記選択されるノズルから対象物に
向けて前記所定の重量の液滴を吐出させる液滴吐出工程と、
を備えたことを特徴とする液滴吐出ヘッドの駆動方法。
【請求項２】
請求項１に記載の液滴吐出ヘッドの駆動方法であって、
前記液滴吐出工程は、
全ての前記ノズルに対し前記ランクに対応する前記駆動波形を対応付け、
全ての前記ノズルに対し前記液滴の吐出・非吐出を設定すること、
を特徴とする液滴吐出ヘッドの駆動方法。
【請求項３】
請求項１又は２に記載の液滴吐出ヘッドの駆動方法であって、
前記液滴吐出工程は、
全ての前記ノズルに対し前記液滴の吐出・非吐出を設定するたびに、全ての前記ノズル
に対して前記ランクに対応する前記駆動波形を対応付けること、
を特徴とする液滴吐出ヘッドの駆動方法。
【請求項４】
請求項１又は２に記載の液滴吐出ヘッドの駆動方法であって、
前記液滴吐出工程は、
全ての前記ノズルに対し前記ランクに対応する前記駆動波形を対応付けた後、
全ての前記ノズルに対し前記液滴の吐出・非吐出の設定を繰り返すこと、
を特徴とする液滴吐出ヘッドの駆動方法。
【請求項５】
液滴吐出ヘッドに設けられた複数のアクチュエータの各々に駆動波形を供給して前記ア
クチュエータに対応するノズルから液滴を吐出させる液滴吐出装置であって、
描画データに基づいて前記複数のノズルの各々に対し前記液滴の吐出・非吐出を対応付
けた出力制御信号を生成する出力制御信号生成手段と、
前記複数のノズルの各々に対し前記液滴の重量に応じて設定されるランクを対応付けた
情報を記憶する記憶手段と、
前記ランクに対応付けられて前記液滴の重量を予め規定した所定の重量に較正する駆動
波形を前記ランクごとに生成する駆動波形生成手段と、
前記記憶手段の記憶する前記情報を用い前記複数のノズルの各々に対し前記ランクに対
応する前記駆動波形を対応付けたコモン選択制御信号を生成するコモン選択制御信号生成
手段と、
前記コモン選択制御信号と前記出力制御信号とに基づいて、前記液滴を吐出させる前記
ノズルの前記アクチュエータに対し前記ランクに対応する前記駆動波形を出力する出力手
段と、
を備えたことを特徴とする液滴吐出装置。
【請求項６】
請求項５に記載の液滴吐出装置であって、
前記コモン選択制御信号生成手段は、
前記出力制御信号と同期した前記コモン選択制御信号を生成し、
前記出力手段は、
前記出力制御信号と、前記出力制御信号と同期した前記コモン選択制御信号と、に基づ
いて、前記液滴を吐出させる前記ノズルの前記アクチュエータに前記ランクに対応する前
記駆動波形を出力すること、
を特徴とする液滴吐出装置。
【請求項７】
請求項５に記載の液滴吐出装置であって、
前記コモン選択制御信号生成手段は、
前記出力制御信号に先行して前記コモン選択制御信号を生成し、
前記出力手段は、
前記出力制御信号を受けるたびに、前記先行して生成したコモン選択制御信号を用い、
前記液滴を吐出させる前記ノズルの前記アクチュエータに対し前記ランクに対応する前記
駆動波形を出力すること、
を特徴とする液滴吐出装置。
【請求項８】
請求項５〜７のいずれか１つに記載の液滴吐出装置であって、
前記液滴の重量を計測する液滴重量装置を備えたこと、
を特徴とする液滴吐出装置。
【請求項９】
基板に吐出した液滴を乾燥させて形成した薄膜を有する電気光学装置であって、
前記薄膜は、
請求項５〜８のいずれか１つに記載の液滴吐出装置によって形成されたことを特徴とす
る電気光学装置。
【発明の詳細な説明】
【技術分野】
【０００１】
本発明は、液滴吐出ヘッドの駆動方法、液滴吐出装置、及び電気光学装置に関する。
【背景技術】
【０００２】
一般的に、液晶ディスプレイは、多数の画素を有したカラーフィルタ基板を搭載してい
る。カラーフィルタ基板の各画素は、光源からの光を受けて特定波長の光を透過させ、液
晶ディスプレイにフルカラーの画像を表示させる。カラーフィルタの製造工程では、生産
性の向上や生産コストの低減を図るため、液滴吐出ヘッドを利用したインクジェット法が
採用されている（例えば、特許文献１）。
【０００３】
液滴吐出ヘッドは、液状体を貯留する複数のキャビティと、該キャビティに連通して一
方向に配列された複数のノズルと、各キャビティ内の液状体を加圧する複数のアクチュエ
ータ（例えば、ピエゾ素子や抵抗加熱素子など）と、を有する。液滴吐出ヘッドは、描画
データに基づいて選択されたアクチュエータに共通する駆動波形信号を入力し、各アクチ
ュエータに対応するノズルから液状体の液滴を吐出させる。インクジェット法は、フィル
タ材料を液滴吐出ヘッドに供給し、フィルタ材料の液滴をカラーフィルタ基板に向けて吐
出させ、基板上に着弾した液滴を乾燥させることにより画素を形成させる。
【０００４】
インクジェット法は、描画対象の高精彩化にともなって、階調表現に優れた描画が望ま
れている。特許文献２は、インクの吐出量に対応した複数の駆動電圧波形を生成する共通
波形発生手段を設け、共通波形発生手段の生成した駆動電圧波形のいずれか１つを階調デ
ータ信号により選択させてアクチュエータに供給する。これによれば、異なる駆動電圧波
形により液滴のサイズを変更させることができ、ノズルの内径やノズルの形成ピッチなど
に設計変更を加えることなく優れた階調表現が可能となる。
【特許文献１】特開平８−１４６２１４号公報
【特許文献２】特開平９−１１４５７号公報
【発明の開示】
【発明が解決しようとする課題】
【０００５】
上記インクジェット法は、カラーフィルタ基板と液滴吐出ヘッドとを所定の走査方向に
相対移動させ、各アクチュエータに上記の駆動電圧波形を所定の吐出周波数で入力する。
これにより、配列されたノズル分の液滴が所定の吐出周波数で順次吐出され、液状体のパ
ターンがカラーフィルタ基板の走査方向に沿って順次描画される。
【０００６】
しかし、配列されたノズルの列内で液滴の重量にバラツキが生じると、重量の大きい液
滴、あるいは、重量の小さい液滴が、カラーフィルタ基板の走査方向に沿って連続する。
この結果、膜厚の段差がカラーフィルタ基板の走査方向に沿って形成され、液晶ディスプ
レイの表示画質を著しく低下させる。
【０００７】
そこで、液滴の重量をノズルごとに較正させる事ができれば、膜厚の均一性を向上させ
ることができ、ひいては、液晶ディスプレイの表示画質を向上させることができる。
本発明は、上記問題を解決するためになされたものであり、その目的は、液滴を吐出し
て形成する膜パターンの膜厚均一性を向上させた液滴吐出ヘッドの駆動方法、液滴吐出装
置、及び電気光学装置を提供することである。
【課題を解決するための手段】
【０００８】
本発明の液滴吐出ヘッドの駆動方法は、複数のノズルの各々に対し吐出する液滴の重量
に応じたランクを対応付けるランク設定工程と、前記ノズルのアクチュエータを駆動して
前記液滴の重量を予め規定した所定の重量に較正する駆動波形を前記ランクごとに生成す
る駆動波形生成工程と、描画データに基づいて選択される前記ノズルのアクチュエータに
前記選択されるノズルの前記ランクに対応する前記駆動波形を供給し、選択される前記ノ
ズルから対象物に向けて前記所定の重量の液滴を吐出させる液滴吐出工程と、を備えた。
【０００９】
本発明の液滴吐出ヘッドの駆動方法によれば、描画データに基づいて選択されるノズル
は、設定されたランクに対応する駆動波形を受けて、予め規定された所定の重量の液滴を
吐出させる。したがって、複数のノズルの各々は、ランクごとに生成される駆動波形によ
り、吐出する液滴の重量を所定の重量に規格化させる。この結果、液滴の重量がノズルご
とに較正されるため、液滴からなる薄膜の膜厚均一性を向上させることができる。
【００１０】
この液滴吐出ヘッドの駆動方法であって、前記液滴吐出工程は、全ての前記ノズルに対
し前記ランクに対応する前記駆動波形を対応付け、全ての前記ノズルに対し前記液滴の吐
出・非吐出を設定する構成であってもよい。
【００１１】
この液滴吐出ヘッドの駆動方法によれば、液滴の吐出・非吐出に関わらず、全てのノズ
ルに対し、ランクに対応する駆動波形が対応付けられる。したがって、描画データに基づ
いて選択されるノズルが、より確実に、対応する駆動波形によって駆動される。
【００１２】
この液滴吐出ヘッドの駆動方法であって、前記液滴吐出工程は、全ての前記ノズルに対
して前記液滴の吐出・非吐出を設定するたびに、全ての前記ノズルに対して前記ランクに
対応する前記駆動波形を対応付ける構成であってもよい。
【００１３】
この液滴吐出ヘッドの駆動方法によれば、液滴の吐出動作を設定するたびに、各ノズル
に対して駆動波形が対応付けられる。したがって、液滴を吐出する全てのノズルが、より
確実に、対応する駆動波形によって駆動される。
【００１４】
この液滴吐出ヘッドの駆動方法であって、前記液滴吐出工程は、全ての前記ノズルに対
して前記ランクに対応する前記駆動波形を対応付けた後、全ての前記ノズルに対し前記液
滴の吐出・非吐出の設定を繰り返すこと、構成であってもよい。
【００１５】
この液滴吐出ヘッドの駆動方法によれば、液滴の吐出・非吐出に関わらず、全てのノズ
ルに対し駆動波形を１回だけ対応付け、その後、液滴の吐出動作を繰り返させることがで
きる。したがって、単一のノズルに対し共通する駆動波形を対応させ続けることができ、
液滴を吐出する全てのノズルが、より確実に、対応する駆動波形によって駆動される。
【００１６】
本発明の液滴吐出装置は、液滴吐出ヘッドに設けられた複数のアクチュエータの各々に
対応するノズルから液滴を吐出させる液滴吐出装置であって、描画データに基づいて前記
複数のノズルの各々に対し前記液滴の吐出・非吐出を対応付けた出力制御信号を生成する
出力制御信号生成手段と、前記複数のノズルの各々に対し前記液滴の重量に応じて設定さ
れるランクを対応付けた情報を記憶する記憶手段と、前記ランクに対応付けられて前記液
滴の重量を予め規定した所定の重量に較正する駆動波形を前記ランクごとに生成する駆動
波形生成手段と、前記記憶手段の記憶する前記情報を用い前記複数のノズルの各々に対し
前記ランクに対応する前記駆動波形を対応付けたコモン選択制御信号を生成するコモン選
択制御信号生成手段と、前記コモン選択制御信号と前記出力制御信号とに基づいて、前記
液滴を吐出させる前記ノズルの前記アクチュエータに前記ランクに対応する前記駆動波形
を出力する出力手段と、を備えた。
【００１７】
本発明の液滴吐出装置によれば、描画データに基づいて選択されるノズルは、設定され
たランクに対応する駆動波形を受けて、予め規定された所定の重量の液滴を吐出させる。
したがって、複数のノズルの各々は、ランクごとの駆動波形によって、吐出する液滴の重
量が所定の重量に規格化される。この結果、液滴の重量がノズルごとに較正されるため、
液滴からなる薄膜の膜厚均一性を向上させることができる。
【００１８】
この液滴吐出装置であって、前記コモン選択制御信号生成手段は、前記出力制御信号と
同期した前記コモン選択制御信号を生成し、前記出力手段は、前記出力制御信号と、前記
出力制御信号と同期した前記コモン選択制御信号と、に基づいて、前記液滴を吐出させる
前記ノズルの前記アクチュエータに前記ランクに対応する前記駆動波形を出力する構成で
あってもよい。
【００１９】
この液滴吐出装置によれば、液滴の吐出動作を実行するたびに、各ノズルに対し駆動波
形が対応付けられる。したがって、液滴を吐出する全てのノズルが、より確実に、対応す
る駆動波形によって駆動される。
【００２０】
この液滴吐出装置であって、前記コモン選択制御信号生成手段は、前記出力制御信号に
先行して前記コモン選択制御信号を生成し、前記出力手段は、前記出力制御信号を受ける
たびに、前記先行して生成したコモン選択制御信号を用い、前記液滴を吐出させる前記ノ
ズルの前記アクチュエータに前記ランクに対応する前記駆動波形を出力する構成でもよい
。
【００２１】
この液滴吐出ヘッドの駆動方法によれば、全てのノズルに対し駆動波形を１回だけ対応
付け、その後、液滴の吐出動作を繰り返させることができる。したがって、単一のノズル
に対し共通する駆動波形を対応させ続けることができ、全てのノズルが、より確実に、対
応する駆動波形によって駆動される。
【００２２】
この液滴吐出装置であって、前記液滴の重量を計測する液滴重量装置を備える構成であ
ってもよい。
この液滴吐出装置によれば、液滴の重量を計測させることができ、別途外部装置で液滴
の重量を計測させる場合に比べ、より正確な重量を得ることができる。ひいては、液滴の
重量を、より正確に規格化させることができる。
【００２３】
本発明の電気光学装置は、基板に吐出した液滴を乾燥させて形成した薄膜を有する電気
光学装置であって、前記薄膜は、上記の液滴吐出装置によって形成された。
本発明の電気光学装置によれば、各種薄膜の膜厚均一性を向上させることができる。ひ
いては、電気光学装置の光学特性を向上させることができる。
【発明を実施するための最良の形態】
【００２４】
以下、本発明を具体化した一実施形態を図１〜図１８に従って説明する。まず、電気光
学装置としての液晶表示装置１について説明する。図１は、液晶表示装置の全体を示す斜
視図であり、図２は、液晶表示装置に備えられたカラーフィルタ基板を示す斜視図である
。
【００２５】
図１において、液晶表示装置１は、バックライト２と液晶パネル３とを有する。バック
ライト２は、光源４から出射された光を液晶パネル３の全面に照射させる。液晶パネル３
は、素子基板５とカラーフィルタ基板６とを有し、これら素子基板５とカラーフィルタ基
板６とが、四角枠状のシール材７によって貼り合わされて、その間隙に液晶ＬＣを封入す
る。液晶ＬＣは、バックライト２からの光を変調して所望の画像をカラーフィルタ基板６
の上面に表示させる。
【００２６】
図２において、カラーフィルタ基板６の上面（図１の下面：素子基板５と相対向する側
面）には、格子状の遮光層８と、該遮光層８によって囲まれた多数の空間（画素９）と、
が形成されている。遮光層８は、クロムやカーボンブラックなどの遮光性材料を含む樹脂
で形成され、液晶ＬＣの透過した光を遮光する。各画素９内には、特定波長の光を透過す
る薄膜としてのカラーフィルタＣＦが形成されている。カラーフィルタＣＦは、例えば、
赤色の光を透過する赤色フィルタＣＦＲと、緑色の光を透過する緑色フィルタＣＦＧと、
青色の光を透過する青色フィルタＣＦＢと、を有する。カラーフィルタＣＦは、本発明の
液滴吐出装置を利用して形成されている。すなわち、カラーフィルタＣＦは、各フィルタ
材料の液滴を対応する画素９内に吐出し、各画素９内に着弾した液滴を乾燥することによ
って形成されている。
【００２７】
ここで、カラーフィルタ基板６の上面（図１の下面）を、吐出面６ａという。
次に、上記カラーフィルタＣＦを形成するための液滴吐出装置について説明する。図３
は、液滴吐出装置を示す全体斜視図である。
【００２８】
図３において、液滴吐出装置１０は、直方体形状に形成された基台１１を有する。基台
１１の上面には、その長手方向（Ｙ方向）に沿って延びる一対の案内溝１２が形成され、
一対の案内溝１２には、基板ステージ１３が取着されている。基板ステージ１３は、基台
１１に設けられたステージモータの出力軸に連結されている。基板ステージ１３は、吐出
面６ａを上側にした状態でカラーフィルタ基板６を載置し、該カラーフィルタ基板６を位
置決め固定する。基板ステージ１３は、ステージモータが正転又は逆転するとき、案内溝
１２に沿って所定の速度で走査され、カラーフィルタ基板６をＹ方向に沿って走査させる
。
【００２９】
基台１１の上側には、門型に形成されたガイド部材１４がＹ方向と直交するＸ方向に沿
って架設されている。ガイド部材１４の上側には、インクタンク１５が配設されている。
インクタンク１５は、フィルタ材料を含む液状体（フィルタ用インクＩｋ）を貯留し、フ
ィルタ用インクＩｋを所定の圧力で導出する。
【００３０】
ガイド部材１４には、Ｘ方向に延びる上下一対のガイドレール１６が形成され、上下一
対のガイドレール１６には、キャリッジ１７が取着されている。キャリッジ１７は、ガイ
ド部材１４に設けられたキャリッジモータの出力軸に連結されている。キャリッジ１７の
下側には、Ｘ方向に配列された複数の液滴吐出ヘッド１８（以下単に、吐出ヘッド１８と
いう。）が搭載されている。キャリッジ１７は、キャリッジモータが正転又は逆転すると
き、ガイドレール１６に沿って走査され、各吐出ヘッド１８をＸ方向に沿って走査させる
。
【００３１】
図４は、吐出ヘッド１８を下側（基板ステージ１３）から見た図であり、図５は、図４
のＡ―Ａ線断面図である。
図４において、吐出ヘッド１８の上側（図３における下側）には、ノズルプレート１９
が備えられている。ノズルプレート１９の上面（図３における下面）には、カラーフィル
タ基板６と平行のノズル形成面１９ａが形成され、そのノズル形成面１９ａには、ノズル
形成面１９ａの法線方向に貫通する１８０個の貫通孔（ノズルＮ）がＸ方向に沿って等間
隔に配列されている。吐出ヘッド１８の下側（図３における上側）には、ヘッド基板２０
が設けられ、そのヘッド基板２０の一側端には、入力端子２０ａが設けられている。入力
端子２０ａには、吐出ヘッド１８を駆動するための各種の信号が入力される。
【００３２】
図５において、各ノズルＮの上側には、それぞれインクタンク１５に連通するキャビテ
ィ２１が形成されている。各キャビティ２１は、それぞれインクタンク１５が導出したフ
ィルタ用インクＩｋを貯留して対応するノズルＮに供給する。各キャビティ２１の上側に
は、上下方向に振動可能な振動板２２が貼り付けられて、対応するキャビティ２１の容積
を拡大及び縮小可能にする。振動板２２の上側には、それぞれアクチュエータとしての圧
電素子ＰＺが配設されている。各圧電素子ＰＺは、それぞれ圧電素子ＰＺを駆動するため
の信号（駆動波形信号ＣＯＭ）が入力されるとき、上下方向に収縮及び伸張して対応する
振動板２２を振動させる。
【００３３】
各キャビティ２１は、それぞれ対応する振動板２２が振動するとき、対応するノズルＮ
のメニスカスを上下方向に振動させ、駆動波形信号ＣＯＭ（駆動電圧）に応じた所定の重
量のフィルタ用インクＩｋを対応するノズルＮから液滴Ｄとして吐出させる。吐出された
液滴Ｄは、カラーフィルタ基板６の略法線に沿って飛行し、ノズルＮと相対向する吐出面
６ａ上の位置に着弾する。
【００３４】
図４において、基台１１の左側には、液滴重量装置２３が配設されている。液滴重量装
置２３は、液滴Ｄの重量（実重量Ｉｗ）をノズルＮごとに計測するものであって、公知の
重量計測装置を用いることができる。液滴重量装置２３には、例えば、吐出された液滴Ｄ
を受け皿で受けて液滴Ｄを秤量する電子天秤を用いることができる。また、液滴重量装置
２３には、電極を有した圧電振動子を利用し、該電極に向けて液滴Ｄを吐出させ、液滴Ｄ
の着弾により変化する圧電振動子の共振周波数に基づいて液滴Ｄの実重量Ｉｗを検出する
ものを用いることができる。
【００３５】
ここで、列内の全てのノズルＮから吐出した各液滴Ｄの実重量Ｉｗの平均値を、平均実
重量Ｉｗｃｅｎという。なお、平均実重量Ｉｗｃｅｎは、吐出した液滴Ｄの中で最大とな
る実重量ＩｗをＩｗｍａｘとし、最小となる実重量ＩｗをＩｗｍｉｎとするときに、Ｉｗ
ｃｅｎ＝（Ｉｗｍａｘ＋Ｉｗｍｉｎ）／２により規定される。平均実重量Ｉｗｃｅｎは、
キャリッジ１７に搭載された複数の吐出ヘッド１８の各々に対して規定される。
【００３６】
次に、上記液滴吐出装置１０の電気的構成を図６〜図１８に従って説明する。
図６は、液滴吐出装置１０の電気的構成を示すブロック回路図である。
図６において、制御装置３０は、液滴吐出装置１０に各種の処理動作を実行させるもの
である。制御装置３０は、外部Ｉ／Ｆ３１と、ＣＰＵなどからなる制御部３２と、ＤＲＡ
Ｍ及びＳＲＡＭからなり各種のデータを格納する記憶手段としてのＲＡＭ３３と、各種制
御プログラムを格納するＲＯＭ３４と、を有する。また、制御装置３０は、クロック信号
を生成する発振回路３５と、駆動波形信号ＣＯＭを生成する駆動波形生成手段としての駆
動波形生成回路３６と、液滴重量装置２３を駆動するための重量装置駆動回路３７と、基
板ステージ１３やキャリッジ１７を走査するためのモータ駆動回路３８と、各種の信号を
送信する内部Ｉ／Ｆ３９と、を有する。制御装置３０は、外部Ｉ／Ｆ３１を介して入出力
装置４０に接続されている。また、制御装置３０は、内部Ｉ／Ｆ３９を介して基板ステー
ジ１３、キャリッジ１７、液滴重量装置２３、及び吐出ヘッド１８の各々に対応する複数
のヘッド駆動回路４１に接続されている。
【００３７】
入出力装置４０は、例えばＣＰＵ、ＲＡＭ、ＲＯＭ、ハードディスク、液晶ディスプレ
イなどを有した外部コンピュータである。入出力装置４０は、ＲＯＭ又はハードディスク
に記憶された制御プログラムに従って液滴吐出装置１０を駆動させるための各種の制御信
号を外部Ｉ／Ｆ３１に出力する。外部Ｉ／Ｆ３１は、入出力装置４０から描画データＩｐ
、基準駆動電圧データＩｖ及びヘッドデータＩｈを受信する。
【００３８】
ここで、描画データＩｐとは、カラーフィルタＣＦの位置や膜厚に関する情報、液滴Ｄ
の吐出位置に関する情報、基板ステージ１３の走査速度に関する情報など、吐出面６ａの
各画素９に液滴Ｄを吐出させるための各種のデータである。
【００３９】
基準駆動電圧データＩｖとは、平均実重量Ｉｗｃｅｎを予め規定された所定の重量（基
準重量）に較正するための駆動電圧（基準駆動電圧Ｖｈ０）に関するデータである。基準
駆動電圧データＩｖは、各吐出ヘッド１８の平均実重量Ｉｗｃｅｎが異なるため、吐出ヘ
ッド１８ごとに規定される。すなわち、基準駆動電圧データＩｖとは、各吐出ヘッド１８
の平均実重量Ｉｗｃｅｎを共通する基準重量に較正するためのデータである。
【００４０】
ヘッドデータＩｈとは、ノズルＮ（圧電素子ＰＺ）の各々を４種類の「ランク」に分類
したデータであり、ノズルＮの各々に対し液滴Ｄの重量に基づくランクを対応付けたデー
タである。ヘッドデータＩｈでは、例えば、図７に示すように、吐出した液滴Ｄの実重量
ＩｗがＩｗｃｅｎ×１．０２＞Ｉｗ≧Ｉｗｃｅｎ×１．０１を満たすノズルＮに対し、ラ
ンク「１」が設定されている。また、吐出した液滴Ｄの実重量ＩｗがＩｗｃｅｎ×１．０
１＞Ｉｗ≧Ｉｗｃｅｎを満たすノズルＮに対し、ランク「２」が設定され、吐出した液滴
Ｄの実重量ＩｗがＩｗｃｅｎ＞Ｉｗ≧Ｉｗｃｅｎ×０．９９を満たすノズルＮに対し、ラ
ンク「３」が設定されている。また、吐出した液滴Ｄの実重量ＩｗがＩｗｃｅｎ×０．９
９＞Ｉｗ≧Ｉｗｃｅｎ×０．９８を満たすノズルＮに対し、ランク「４」に設定されてい
る。
【００４１】
図６において、ＲＡＭ３３は、受信バッファ３３ａ、中間バッファ３３ｂ、出力バッフ
ァ３３ｃとして利用される。
ＲＯＭ３４は、制御部３２が実行する各種の制御ルーチンと、該制御ルーチンを実行す
るための各種のデータと、を格納する。ＲＯＭ３４は、例えば、各ドットに階調を対応付
けるための階調データと、その時々の各ノズルＮにランクに応じた駆動波形信号ＣＯＭを
対応付けるためのランクデータと、を格納する。
【００４２】
階調データとは、１つのドットを複数の液滴Ｄによって形成させ、液滴Ｄを吐出するか
否か（すなわち、吐出・非吐出）という２階調により擬似的に多階調を表現させるための
データである。ランクデータとは、図７に示すように、各ランク（「１」〜「４」）をそ
れぞれ４種類の異なる駆動波形信号ＣＯＭ（第１駆動波形信号ＣＯＭＡ，第２駆動波形信
号ＣＯＭＢ，第３駆動波形信号ＣＯＭＣ，第４駆動波形信号ＣＯＭＤ）のいずれか１つに
対応付けるためのデータである。すなわち、ランクデータとは、全てのノズルＮの各々に
対しランクに応じた駆動波形信号ＣＯＭを対応付けるためのデータである。
【００４３】
図６において、発振回路３５は、各種のデータや各種の駆動信号を同期させるためのク
ロック信号を生成する。発振回路３５は、例えば、各種のデータのシリアル転送時に利用
される転送クロックＳＣＬＫを生成する。発振回路３５は、シリアル転送された各種のデ
ータのパラレル変換時に利用されるラッチ信号（パターンデータ用ラッチ信号ＬＡＴＡや
コモン選択データ用ラッチ信号ＬＡＴＢ）を生成する。また、発振回路３５は、液滴Ｄの
吐出タイミングを規定するためのステート切替え信号ＣＨＡを生成する。
【００４４】
駆動波形生成回路３６は、波形メモリ３６ａ、ラッチ回路３６ｂ、Ｄ／Ａ変換器３６ｃ
、増幅器３６ｄを有する。波形メモリ３６ａは、各駆動波形信号ＣＯＭを生成するための
波形データを所定のアドレスに対応させて格納する。ラッチ回路３６ｂは、制御部３２が
波形メモリから読み出した波形データを所定のクロック信号でラッチする。Ｄ／Ａ変換器
３６ｃは、ラッチ回路３６ｂがラッチした波形データをアナログ信号に変換し、増幅器３
６ｄは、Ｄ／Ａ変換器３６ｃが変換したアナログ信号を増幅して駆動波形信号ＣＯＭを同
時に生成する。
【００４５】
制御部３２は、入出力装置４０が基準駆動電圧データＩｖを入力するとき、駆動波形生
成回路３６を介し、基準駆動電圧データＩｖを参照して波形メモリ３６ａの波形データを
読み出す。そして、制御部３２は、駆動波形生成回路３６を介し、吐出周波数に同期した
４種類の駆動波形信号ＣＯＭ（第１駆動波形信号ＣＯＭＡ，第２駆動波形信号ＣＯＭＢ，
第３駆動波形信号ＣＯＭＣ，第４駆動波形信号ＣＯＭＤ）を生成させる。
【００４６】
制御部３２は、駆動波形生成回路３６を介し、第１〜第４駆動波形信号ＣＯＭＡ，ＣＯ
ＭＢ，ＣＯＭＣ，ＣＯＭＤをそれぞれランク「１」〜「４」に応じた異なる駆動電圧から
なる信号として生成させる。例えば、図７及び図８に示すように、制御部３２は、第１駆
動波形信号ＣＯＭＡをランク「１」のノズルＮに応じた駆動電圧（第１駆動電圧Ｖｈａ）
からなる信号として生成させる。第１駆動電圧Ｖｈａは、基準駆動電圧Ｖｈ０よりも低い
レベルの電圧（例えば、Ｖｈａ＝Ｖｈ０×０．９８５）である。これにより、ランク「１
」のノズルＮは、対応する圧電素子ＰＺに第１駆動波形信号ＣＯＭＡが入力されるとき、
第１駆動電圧Ｖｈａの分だけ、対応する圧電素子ＰＺの駆動量（伸縮量）を小さくさせて
液滴Ｄの実重量Ｉｗを較正し、該液滴Ｄの実重量Ｉｗを平均実重量Ｉｗｃｅｎ（基準重量
）にする。
【００４７】
同じく、制御部３２は、駆動波形生成回路３６を介し、第２駆動波形信号ＣＯＭＢ、第
３駆動波形信号ＣＯＭＣ、第４駆動波形信号ＣＯＭＤをそれぞれランク「２」、ランク「
３」、ランク「４」に応じた駆動電圧（第２駆動電圧Ｖｈｂ、第３駆動電圧Ｖｈｃ、第４
駆動電圧Ｖｈｄ）からなる信号として生成させる。第２駆動電圧Ｖｈｂ、第３駆動電圧Ｖ
ｈｃ、第４駆動電圧Ｖｈｄは、それぞれＶｈｂ＝Ｖｈ０×０．９９５、Ｖｈｃ＝Ｖｈ０×
１．００５、Ｖｈｄ＝Ｖｈ０×１．０１５である。ランク「２」、ランク「３」、ランク
「４」のノズルＮは、それぞれ対応する圧電素子ＰＺに第２駆動波形信号ＣＯＭＢ、第３
駆動波形信号ＣＯＭＣ、第４駆動波形信号ＣＯＭＤが入力されるとき、ランクに応じた駆
動電圧によって液滴Ｄの実重量Ｉｗを較正し、該液滴Ｄの実重量Ｉｗを基準重量にする。
【００４８】
これにより、全てのノズルＮ（圧電素子ＰＺ）は、それぞれランクに対応する駆動波形
信号ＣＯＭが入力されるとき、各液滴Ｄの実重量Ｉｗをそれぞれ共通する基準重量に規格
化せることができる。
【００４９】
図６において、制御部３２は、重量装置駆動回路３７に対応する駆動制御信号を出力す
る。重量装置駆動回路３７は、制御部３２からの駆動制御信号に応答し、内部Ｉ／Ｆ３９
を介して液滴重量装置２３を駆動させる。
【００５０】
制御部３２は、モータ駆動回路３８に対応する駆動制御信号を出力する。モータ駆動回
路３８は、制御部３２からの駆動制御信号に応答し、内部Ｉ／Ｆ３９を介して基板ステー
ジ１３、キャリッジ１７を走査させる。
【００５１】
制御部３２は、外部Ｉ／Ｆ３１が受信した描画データＩｐを受信バッファ３３ａに一時
的に格納させる。制御部３２は、描画データＩｐを中間コードに変換し中間コードデータ
として中間バッファ３３ｂに格納させる。制御部３２は、中間バッファ３３ｂから中間コ
ードデータを読み出し、ＲＯＭ３４内の階調データを参照してドットパターンデータに展
開し、該ドットパターンデータを出力バッファ３３ｃに格納させる。
【００５２】
ドットパターンデータは、ドットパターン格子の各格子点にそれぞれドットの階調（駆
動パルスのパターン）を対応付けるためのデータである。ドットパターンデータは、２次
元描画平面（吐出面６ａ）の各位置（ドットパターン格子の各格子点）にそれぞれ２ビッ
トの値（”００”、”０１”、”１０”、あるいは、”１１”）を対応させたデータであ
る。なお、ドットパターン格子は、ドットの階調を規定した最小間隔の格子である。
【００５３】
制御部３２は、基板ステージ１３の１スキャン分に相当するドットパターンデータを展
開すると、該ドットパターンデータを利用して転送クロックＳＣＬＫに同期したシリアル
データを生成し、内部Ｉ／Ｆ３９を介して、該シリアルデータをヘッド駆動回路４１にシ
リアル転送させる。制御部３２は、１スキャン分のドットパターンデータをシリアル転送
させると、中間バッファ３３ｂの内容を消去し、次の中間コードデータに対して展開処理
を実行する。
【００５４】
ここで、ドットパターンデータを利用して生成されるシリアルデータを、シリアルパタ
ーンデータＳＩＡという。シリアルパターンデータＳＩＡは、走査方向に沿うドットパタ
ーン格子の格子単位で生成される。
【００５５】
図９において、シリアルパターンデータＳＩＡは、ドットの階調を選択するための２ビ
ットの値をノズルＮの数量（１８０個）分だけ有する。シリアルパターンデータＳＩＡは
、ドットの階調を選択するための２ビットの値のうちの上位ビットで構成される１８０ビ
ットの上位選択データＳＩＨと、下位ビットで構成される１８０ビットの下位選択データ
ＳＩＬと、を有する。また、シリアルパターンデータＳＩＡは、上位選択データＳＩＨ及
び下位選択データＳＩＬの他に、パターンデータＳＰを有する。
【００５６】
パターンデータＳＰは、上位選択データＳＩＨと、下位選択データＳＩＬと、によって
規定される４値の各々に８ビットのデータ（各スイッチデータＰｎｍ（ｎｍ＝００〜０３
、１０〜１３、・・・、７０〜７３）を対応させた３２ビットからなるデータである。各
スイッチデータＰｎｍ（ｎｍ＝００〜０３、１０〜１３、・・・、７０〜７３）は、それ
ぞれ圧電素子ＰＺのオン・オフを規定するためのデータである。
【００５７】
図１０において、ステート切替え信号ＣＨＡは、液滴Ｄの吐出周波数で生成されるパル
ス信号である。ここで、ステート切替え信号ＣＨＡのパルスごとに規定される状態を、「
ステート」という。ステート切替え信号ＣＨＡは、先行するパターンデータ用ラッチ信号
ＬＡＴＡが生成されて後続するパターンデータ用ラッチ信号ＬＡＴＡが生成されるまでの
間の状態を複数のステート（例えば、「０」〜「７」の各ステート）に区分する。なお、
先行するパターンデータ用ラッチ信号ＬＡＴＡが生成されて後続するパターンデータ用ラ
ッチ信号ＬＡＴＡが生成されるまでの間の期間は、各ノズルＮがそれぞれドットパターン
格子の単位格子と相対向する期間に相当する。
【００５８】
制御部３２は、ヘッド駆動回路４１を介し、図１０に示す真理値表に従って、パターン
データＳＰの各データ（各スイッチデータＰｎｍ）をそれぞれ各ステートに対応付ける。
例えば、制御部３２は、ヘッド駆動回路４１を介し、上位選択データＳＩＨが“０”、下
位選択データＳＩＬが“０”のノズルＮ（圧電素子ＰＺ）に対し、スイッチデータＰ００
、Ｐ１０、・・・、Ｐ７０を対応付ける。制御部３２は、スイッチデータＰ００、Ｐ１０
、・・・、Ｐ７０をそれぞれ「０」〜「７」の各ステートに対応付ける。そして、制御部
３２は、ヘッド駆動回路４１を介し、“１”に設定されたスイッチデータＰ００〜Ｐ７０
のステートで該圧電素子ＰＺに駆動波形信号ＣＯＭを供給する。例えば、Ｐ００〜Ｐ６０
が”０“であり、Ｐ７０が”１“であるとき、制御部３２は、ステートが「０」〜「６」
の間、圧電素子ＰＺをオフし、ステートが「７」になるタイミングで該圧電素子ＰＺをオ
ンする。
【００５９】
同様に、制御部３２は、上位選択データＳＩＨと下位選択データＳＩＬが、それぞれ“
０１”、“１０”、“１１”のノズルＮ（圧電素子ＰＺ）に対し、それぞれスイッチデー
タＰ０１〜Ｐ７１、Ｐ０２〜Ｐ７２、Ｐ０３〜Ｐ７３を対応付ける。制御部３２は、スイ
ッチデータＰ０１〜Ｐ７１、Ｐ０２〜Ｐ７２、Ｐ０３〜Ｐ７３をそれぞれ「０」〜「７」
の各ステートに対応付ける。そして、制御部３２は、ヘッド駆動回路４１を介し、“１”
に設定されたスイッチデータＰ０１〜Ｐ７１、Ｐ０２〜Ｐ７２、Ｐ０３〜Ｐ７３のステー
トで対応する圧電素子ＰＺに駆動波形信号ＣＯＭを供給する。
【００６０】
これにより、全てのノズルＮは、それぞれシリアルパターンデータＳＩＡが生成される
たびに、その時々で、対応する上位選択データＳＩＨと下位選択データＳＩＬとで選択さ
れるドット階調（すなわち、駆動パルスのパターン）を対応する格子に対し実現する。
【００６１】
図６において、制御部３２は、外部Ｉ／Ｆ３１が受信したヘッドデータＩｈを受信バッ
ファ３３ａに一時的に格納させる。制御部３２は、ヘッドデータＩｈを中間コードに変換
し中間コードデータとして中間バッファ３３ｂに格納させる。制御部３２は、中間バッフ
ァ３３ｂから中間コードデータを読み出し、ＲＯＭ３４内のランクデータを参照してコモ
ン選択データに展開し、該コモン選択データを出力バッファ３３ｃに格納させる。
【００６２】
コモン選択データは、上記ドットパターン格子の各格子点にそれぞれ２ビットの値（”
００”、”０１”、”１０”、”１１”）を対応付けたデータであって、４値の各々に対
し前記第１〜第４駆動波形信号ＣＯＭＡ，ＣＯＭＢ，ＣＯＭＣ，ＣＯＭＤのいずれか１つ
を対応付けるためのデータである。
【００６３】
制御部３２は、基板ステージ１３の１スキャン分に相当するコモン選択データが得られ
ると、コモン選択データを利用して転送クロックＳＣＬＫに同期したシリアルデータを生
成し、内部Ｉ／Ｆ３９を介して該シリアルデータをヘッド駆動回路４１にシリアル転送さ
せる。制御部３２は、１スキャン分のコモン選択データをシリアル転送させると、中間バ
ッファ３３ｂの内容を消去し、次の中間コードデータに対して展開処理を実行する。
【００６４】
ここで、コモン選択データを利用して生成されたシリアルデータを、シリアルコモン選
択データＳＩＢという。シリアルコモン選択データＳＩＢは、シリアルパターンデータＳ
ＩＡと同じく、走査方向に沿うドットパターン格子の格子単位で生成される。
【００６５】
図１１において、シリアルコモン選択データＳＩＢは、駆動波形信号ＣＯＭの種別を規
定する２ビットの値のうちの上位ビットで構成される１８０ビットの上位選択データＳＸ
Ｈと、下位ビットで構成される１８０ビットの下位選択データＳＸＬと、制御データＣＲ
と、を有する。
【００６６】
上位選択データＳＸＨ及び下位選択データＳＸＬは、図１２に示す真理値表に従って、
各ノズルＮのそれぞれに駆動波形信号ＣＯＭの種別を対応付けるためのデータである。
制御部３２は、ヘッド駆動回路４１を介し、上位選択データＳＸＨ及び下位選択データ
ＳＸＬを用い、図１２に示す真理値表に従って、１８０個の各ノズルＮ（圧電素子ＰＺ）
にそれぞれ駆動波形信号ＣＯＭの種別を対応付ける。例えば、制御部３２は、ヘッド駆動
回路４１を介し、上位選択データＳＸＨが“０”、下位選択データＳＸＬが“０”のノズ
ルＮ（圧電素子ＰＺ）にそれぞれ第１駆動波形信号ＣＯＭＡを対応付ける。制御部３２は
、上位選択データＳＸＨと下位選択データＳＸＬが“０１”、“１０”、“１１”のノズ
ルＮ（圧電素子ＰＺ）に、それぞれ第２駆動波形信号ＣＯＭＢ、第３駆動波形信号ＣＯＭ
Ｃ、第４駆動波形信号ＣＯＭＤを対応付ける。
【００６７】
制御データＣＲは、ヘッド駆動回路４１に設けられた温度検出回路を駆動させるための
データなど、ヘッド駆動回路４１に各種の制御を実行させるためのデータである。制御部
３２は、ヘッド駆動回路４１を介し、制御データＣＲに基づいて吐出ヘッド１８の温度を
検出する。
【００６８】
次に、ヘッド駆動回路４１について以下に説明する。
図１３において、ヘッド駆動回路４１は、出力制御信号生成手段としての出力制御信号
生成回路５０と、コモン選択制御信号生成手段としてのコモン選択制御信号生成回路６０
と、を有する。また、ヘッド駆動回路４１は、出力合成回路７０（第１〜第４コモン出力
合成回路７０Ａ，７０Ｂ，７０Ｃ，７０Ｄ）と、ロジック系の信号を昇圧してアナログス
イッチの駆動電圧レベルに昇圧するレベルシフタ７１（第１〜第４コモン用レベルシフタ
７１Ａ，７１Ｂ，７１Ｃ，７１Ｄ）と、を有する。また、ヘッド駆動回路４１は、圧電素
子ＰＺに各駆動波形信号ＣＯＭを供給するためのアナログスイッチを備えた４系統のスイ
ッチ回路７２（第１〜第４コモン用スイッチ回路７２Ａ，７２Ｂ，７２Ｃ，７２Ｄ）を有
する。上記出力合成回路７０、レベルシフタ７１、及びスイッチ回路７２によって、出力
手段が構成される。
【００６９】
まず、出力制御信号ＰＩを生成するための出力制御信号生成回路５０について以下に説
明する。
図１４において、出力制御信号生成回路５０は、シフトレジスタ５１と、ラッチ５２と
、ステートカウンタ５３と、セレクタ５４と、パターンデータ合成回路５５と、を有する
。
【００７０】
シフトレジスタ５１は、パターンデータレジスタ５１Ａと、下位選択データレジスタ５
１Ｂと、上位選択データレジスタ５１Ｃと、を有し、制御装置３０からシリアルパターン
データＳＩＡと転送クロックＳＣＬＫとが入力される。
【００７１】
パターンデータレジスタ５１Ａは、シリアルパターンデータＳＩＡのうちのパターンデ
ータＳＰがシリアル転送され、転送クロックＳＣＬＫによって順次シフトして３２ビット
のパターンデータＳＰを格納する。下位選択データレジスタ５１Ｂは、シリアルパターン
データＳＩＡのうち下位選択データＳＩＬがシリアル転送され、転送クロックＳＣＬＫに
よって順次シフトして１８０ビットの下位選択データＳＩＬを格納する。上位選択データ
レジスタ５１Ｃは、シリアルパターンデータＳＩＡのうち上位選択データＳＩＨがシリア
ル転送され、転送クロックＳＣＬＫによって順次シフトして１８０ビットの上位選択デー
タＳＩＨを格納する。
【００７２】
ラッチ５２は、パターンデータラッチ５２Ａと、下位選択データラッチ５２Ｂと、上位
選択データラッチ５２Ｃと、を有し、制御装置３０からパターンデータ用ラッチ信号ＬＡ
ＴＡが入力される。
【００７３】
パターンデータラッチ５２Ａは、パターンデータ用ラッチ信号ＬＡＴＡが入力されると
き、パターンデータレジスタ５１Ａのデータ、すなわちパターンデータＳＰをラッチする
。下位選択データラッチ５２Ｂは、パターンデータ用ラッチ信号ＬＡＴＡが入力されると
き、下位選択データレジスタ５１Ｂのデータ、すなわち下位選択データＳＩＬをラッチす
る。上位選択データラッチ５２Ｃは、パターンデータ用ラッチ信号ＬＡＴＡが入力される
とき、上位選択データレジスタ５１Ｃのデータ、すなわち上位選択データＳＩＨをラッチ
する。
【００７４】
ステートカウンタ５３は、３ビットのカウンタ回路であり、ステート切替え信号ＣＨＡ
の立ち上がりエッジによってカウントし、ステートを変化させる。ステートカウンタ５３
は、ステートを「０」から「７」までカウントした後、ステート切替え信号ＣＨＡが入力
されることによりステートを「０」に戻す。また、ステートカウンタ５３は、ＬＡＴＡ信
号が“Ｈ”レベル（高い電位のレベル）になるときにリセットされ、ステートを「０」に
戻す。ステートカウンタ５３は、制御装置３０からステート切替え信号ＣＨＡとパターン
データ用ラッチ信号ＬＡＴＡとが入力されるとき、ステートの値をカウントしてセレクタ
５４に出力する。
【００７５】
セレクタ５４は、ステートカウンタ５３が出力するステートの値と、パターンデータラ
ッチ５２ＡがラッチしたパターンデータＳＰと、に基づいて、その時々で、ステートの値
に対応するスイッチデータＰｎ０〜Ｐｎ３を選択し、選択したスイッチデータＰｎ０〜Ｐ
ｎ３をパターンデータ合成回路５５に出力する。すなわち、セレクタ５４は、パターンデ
ータ用ラッチ信号ＬＡＴＡがパターンデータラッチ５２Ａに入力されるとき、パターンデ
ータラッチ５２ＡにラッチされたパターンデータＳＰを読み込み、図１０に示す真理値表
に従って、ステートの値「ｎ」に応じたスイッチデータＰｎ０〜Ｐｎ３を選択する。例え
ば、セレクタ５４は、ステートカウンタ５３のステートが「０」のとき、ステート「０」
に応じたパターンデータＳＰ、すなわち、図１０に示すスイッチデータＰ００〜Ｐ０３を
パターンデータ合成回路５５に出力する。
【００７６】
パターンデータ合成回路５５は、セレクタ５４から各スイッチデータＰｎ０〜Ｐｎ３が
入力され、下位選択データラッチ５２Ｂがラッチした下位選択データＳＩＬと、上位選択
データラッチ５２Ｃがラッチした上位選択データＳＩＨと、を読み込む。パターンデータ
合成回路５５は、各スイッチデータＰｎ０〜Ｐｎ３と、下位選択データＳＩＬと、上位選
択データＳＩＨとを用い、図１０に示す真理値表に従って、１８０個のノズルＮに対し液
滴Ｄの吐出・非吐出（各ビットの値：“０”あるいは“１”）を規定した１８０ビットの
データ（出力制御信号ＰＩ）をステートごとに生成する。
【００７７】
パターンデータ合成回路５５は、例えば、図１５に示すように、１つのノズルＮに対応
する４個のＡＮＤゲート５５ａ，５５ｂ，５５ｃ，５５ｄと、これらのＡＮＤゲート５５
ａ，５５ｂ，５５ｃ，５５ｄの出力が入力されるＯＲゲート５５ｅと、により構成される
。ＡＮＤゲート５５ａ，５５ｂ，５５ｃ，５５ｄには、それぞれ上位選択データＳＩＨと
、下位選択データＳＩＬと、対応するスイッチデータＰｎ０〜Ｐｎ３と、が入力される。
上位選択データＳＩＨと下位選択データＳＩＬが“００”である場合、ＡＮＤゲート５５
ａのみが有効となり、スイッチデータＰｎ０（“０”あるいは“１”）が、対応するノズ
ルＮの出力制御信号ＰＩとして出力される。また、上位選択データＳＩＨと下位選択デー
タＳＩＬが“０１”、“１０”“１１”である場合、それぞれＡＮＤゲート５５ｂ、５５
ｃ、５５ｄのみが有効となり、スイッチデータＰｎ１、Ｐｎ２、Ｐｎ３（“０”あるいは
“１”）が、対応するノズルＮの出力制御信号ＰＩとして出力される。これにより、図１
０に示す真理値表に対応するスイッチデータＰｎｍが出力制御信号ＰＩとして出力される
。
【００７８】
次いで、各コモン選択制御信号ＰＸＡ，ＰＸＢ，ＰＸＣ，ＰＸＤを生成するためのコモ
ン選択制御信号生成回路６０について以下に説明する。
図１６において、コモン選択制御信号生成回路６０は、シフトレジスタ６１と、ラッチ
６２と、コモン選択データデコード回路６３と、を有する。
【００７９】
シフトレジスタ６１は、制御データレジスタ６１Ａと、下位選択データレジスタ６１Ｂ
と、上位選択データレジスタ６１Ｃと、を有し、制御装置３０からシリアルコモン選択デ
ータＳＩＢと転送クロックＳＣＬＫとが入力される。
【００８０】
制御データレジスタ６１Ａは、シリアルコモン選択データＳＩＢのうちの制御データＣ
Ｒがシリアル転送され、転送クロックＳＣＬＫによって順次シフトして３２ビットの制御
データＣＲを格納する。下位選択データレジスタ６１Ｂは、シリアルコモン選択データＳ
ＩＢのうち下位選択データＳＸＬがシリアル転送され、転送クロックＳＣＬＫによって順
次シフトして１８０ビットの下位選択データＳＸＬを格納する。上位選択データレジスタ
６１Ｃは、シリアルコモン選択データＳＩＢのうち上位選択データＳＸＨがシリアル転送
され、転送クロックＳＣＬＫによって順次シフトして１８０ビットの上位選択データＳＸ
Ｈを格納する。
【００８１】
ラッチ６２は、制御データラッチ６２Ａと、下位選択データラッチ６２Ｂと、上位選択
データラッチ６２Ｃとを有し、制御装置３０からコモン選択データ用ラッチ信号ＬＡＴＢ
が入力される。
【００８２】
制御データラッチ６２Ａは、コモン選択データ用ラッチ信号ＬＡＴＢが入力されるとき
、制御データレジスタ６１Ａのデータ、すなわち制御データＣＲをラッチし、ラッチした
データを所定の制御回路（例えば、温度検出回路など）に出力する。下位選択データラッ
チ６２Ｂは、コモン選択データ用ラッチ信号ＬＡＴＢが入力されるとき、下位選択データ
レジスタ６１Ｂのデータ、すなわち下位選択データＳＸＬをラッチする。上位選択データ
ラッチ６２Ｃは、コモン選択データ用ラッチ信号ＬＡＴＢが入力されるとき、上位選択デ
ータレジスタ６１Ｃのデータ、すなわち上位選択データＳＸＨをラッチする。
【００８３】
コモン選択データデコード回路６３は、下位選択データラッチ６２Ｂがラッチした下位
選択データＳＸＬと、上位選択データラッチ６２Ｃがラッチした上位選択データＳＸＨと
、を読み込む。コモン選択データデコード回路６３は、下位選択データＳＸＬ及び上位選
択データＳＸＨを用い、図１２に示す真理値表に従って、４つの異なる駆動波形信号ＣＯ
Ｍの各々について使用するか否か（選択・非選択）を規定する。コモン選択データデコー
ド回路６３は、１８０個のノズルＮの各々に対し、各駆動波形信号ＣＯＭの選択・非選択
を規定したデータを生成する。
【００８４】
ここで、第１駆動波形信号ＣＯＭＡの選択・非選択について規定したデータを、第１コ
モン選択制御信号ＰＸＡという。また、第２駆動波形信号ＣＯＭＢ、第３駆動波形信号Ｃ
ＯＭＣ、第４駆動波形信号ＣＯＭＤの選択・非選択について規定したデータを、それぞれ
第２コモン選択制御信号ＰＸＢ、第３コモン選択制御信号ＰＸＣ、第４コモン選択制御信
号ＰＸＤという。
【００８５】
コモン選択データデコード回路６３は、例えば、１つのノズルＮに対応する４個のＡＮ
Ｄゲート６３ａ，６３ｂ，６３ｃ，６３ｄにより構成される。ＡＮＤゲート６３ａ，６３
ｂ，６３ｃ，６３ｄには、それぞれ上位選択データＳＸＨと、下位選択データＳＸＬと、
が入力される。上位選択データＳＸＨと下位選択データＳＸＬが“００”である場合、Ａ
ＮＤゲート６３ａのみが有効となり、対応するノズルＮの第１コモン選択制御信号ＰＸＡ
が“１”として出力され、他の第２〜第４コモン選択制御信号ＰＸＢ，ＰＸＣ，ＰＸＤが
“０”として出力される。また、上位選択データＳＸＨと下位選択データＳＸＬが“０１
”、“１０”、“００”である場合、それぞれＡＮＤゲート６３ｂ、６３ｃ、６３ｄのみ
が有効となり、対応するノズルＮの第２コモン選択制御信号ＰＸＢ、第３コモン選択制御
信号ＰＸＣ、第４コモン選択制御信号ＰＸＤが“１”として出力される。これにより、図
１２に示す真理値表に対応する第１〜第４コモン選択制御信号ＰＸＡ，ＰＸＢ，ＰＸＣ，
ＰＸＤが出力される。
【００８６】
図１３において、出力合成回路７０は、第１コモン出力合成回路７０Ａと、第２コモン
出力合成回路７０Ｂと、第３コモン出力合成回路７０Ｃと、第４コモン出力合成回路７０
Ｄと、を有する。各出力合成回路７０Ａ，７０Ｂ，７０Ｃ，７０Ｄには、それぞれ出力制
御信号生成回路５０から１８０ビットの出力制御信号ＰＩが共通に入力される。また、各
出力合成回路７０Ａ，７０Ｂ，７０Ｃ，７０Ｄには、それぞれコモン選択制御信号生成回
路６０から第１コモン選択制御信号ＰＸＡ、第２コモン選択制御信号ＰＸＢ、第３コモン
選択制御信号ＰＸＣ、第４コモン選択制御信号ＰＸＤが入力される。
【００８７】
第１〜第４コモン出力合成回路７０Ａ，７０Ｂ，７０Ｃ，７０Ｄは、それぞれ１つのノ
ズルＮに対応するＡＮＤゲートにより構成される。第１コモン出力合成回路７０Ａの各Ａ
ＮＤゲートには、それぞれ対応する出力制御信号ＰＩと、対応する第１コモン選択制御信
号ＰＸＡと、が入力される。第１コモン出力合成回路７０Ａの各ＡＮＤゲートは、それぞ
れ対応する圧電素子ＰＺに第１駆動波形信号ＣＯＭＡを供給するか否か（供給・非供給）
を規定した信号（第１選択コモン出力制御信号ＣＰＡ）を出力する。第２コモン出力合成
回路７０Ｂの各ＡＮＤゲートには、それぞれ対応する出力制御信号ＰＩと、対応する第２
コモン選択制御信号ＰＸＢと、が入力される。第２コモン出力合成回路７０Ｂの各ＡＮＤ
ゲートは、それぞれ対応する圧電素子ＰＺに対し第２駆動波形信号ＣＯＭＢの供給・非供
給を規定した信号（第２選択コモン出力制御信号ＣＰＢ）を出力する。第３コモン出力合
成回路７０Ｃの各ＡＮＤゲートには、それぞれ対応する出力制御信号ＰＩと、対応する第
３コモン選択制御信号ＰＸＣと、が入力される。第３コモン出力合成回路７０Ｃの各ＡＮ
Ｄゲートは、それぞれ対応する圧電素子ＰＺに対し第３駆動波形信号ＣＯＭＣの供給・非
供給を規定した信号（第３選択コモン出力制御信号ＣＰＣ）を出力する。また、第４コモ
ン出力合成回路７０Ｄの各ＡＮＤゲートには、それぞれ対応する出力制御信号ＰＩと、対
応する第４コモン選択制御信号ＰＸＤと、が入力される。第４コモン出力合成回路７０Ｄ
の各ＡＮＤゲートは、対応する圧電素子ＰＺに対し第４駆動波形信号ＣＯＭＤの供給・非
供給を規定した信号（第３選択コモン出力制御信号ＣＰＣ）を出力する。
【００８８】
第１コモン出力合成回路７０Ａは、例えば、出力制御信号ＰＩが“１”であり、かつ、
第１コモン選択制御信号ＰＸＡが“１”の場合、対応する圧電素子ＰＺに第１駆動波形信
号ＣＯＭＡを供給するための第１選択コモン出力制御信号ＣＰＡ（ビット値が“１”の信
号）を出力する。逆に、第１コモン出力合成回路７０Ａは、出力制御信号ＰＩが“０”、
あるいは、第１コモン選択制御信号ＰＸＡが“０”の場合、該圧電素子ＰＺに対し第１駆
動波形信号ＣＯＭＡを供給しないための第１選択コモン出力制御信号ＣＰＡ（ビット値が
“０”の信号）を出力する。
【００８９】
これにより、１８０個の各ノズルＮ（圧電素子ＰＺ）は、それぞれ出力制御信号ＰＩに
よって液滴Ｄの吐出・非吐出が決定され、第１〜第４コモン選択制御信号ＰＸＡ，ＰＸＢ
，ＰＸＣ，ＰＸＤによって各駆動波形信号ＣＯＭの供給・非供給が決定される。
【００９０】
レベルシフタ７１は、第１〜第４駆動波形信号ＣＯＭＡ，ＣＯＭＢ，ＣＯＭＣ，ＣＯＭ
Ｄ用の４系統のレベルシフタ（第１コモン用レベルシフタ７１Ａ，第２コモン用レベルシ
フタ７１Ｂ，第３コモン用レベルシフタ７１Ｃ，第４コモン用レベルシフタ７１Ｄ）を有
する。第１〜第４コモン用レベルシフタ７１Ａ，７１Ｂ，７１Ｃ，７１Ｄには、それぞれ
対応する出力合成回路７０から第１〜第４選択コモン出力制御信号ＣＰＡ，ＣＰＢ，ＣＰ
Ｃ，ＣＰＤが入力される。第１〜第４コモン用レベルシフタ７１Ａ，７１Ｂ，７１Ｃ，７
１Ｄは、それぞれ第１〜第４選択コモン出力制御信号ＣＰＡ，ＣＰＢ，ＣＰＣ，ＣＰＤを
アナログスイッチの駆動電圧レベルに昇圧し、１８０個の圧電素子ＰＺに対応する開閉信
号を出力する。
【００９１】
スイッチ回路７２は、第１〜第４駆動波形信号ＣＯＭＡ，ＣＯＭＢ，ＣＯＭＣ，ＣＯＭ
Ｄ用の４系統のスイッチ回路（第１コモン用スイッチ回路７２Ａ，第２コモン用スイッチ
回路７２Ｂ，第３コモン用スイッチ回路７２Ｃ，第４コモン用スイッチ回路７２Ｄ）を有
する。第１〜第４コモン用スイッチ回路７２Ａ，７２Ｂ，７２Ｃ，７２Ｄは、それぞれ圧
電素子ＰＺに対応する１８０個のアナログスイッチを有する。第１〜第４コモン用スイッ
チ回路７２Ａ，７２Ｂ，７２Ｃ，７２Ｄには、それぞれ対応するレベルシフタ７１から開
閉信号が入力される。４系統の各アナログスイッチの入力端には、それぞれ対応する駆動
波形信号ＣＯＭが入力され、４系統の各アナログスイッチの出力端には、それぞれ対応す
る圧電素子ＰＺが共通接続されている。各アナログスイッチは、それぞれ対応するレベル
シフタ７１から開閉信号が入力され、開閉信号が“Ｈ”レベルのとき、対応する圧電素子
ＰＺに対応する駆動波形信号ＣＯＭを出力する。
【００９２】
これにより、１８０個の各ノズルＮ（圧電素子ＰＺ）は、それぞれ出力制御信号ＰＩに
よって液滴Ｄの吐出動作を選択されるとき、第１〜第４選択コモン出力制御信号ＣＰＡ，
ＣＰＢ，ＣＰＣ，ＣＰＤによって第１〜第４駆動波形信号ＣＯＭＡ，ＣＯＭＢ，ＣＯＭＣ
，ＣＯＭＤのいずれか１つを供給される。すなわち、１８０個の各ノズルＮ（圧電素子Ｐ
Ｚ）は、液滴Ｄの吐出動作を選択されるとき、ランクに応じた駆動波形信号ＣＯＭを供給
される。
【００９３】
次に、液滴吐出装置１０に搭載した液滴吐出ヘッド１８の駆動方法について以下に説明
する。図１８は、各圧電素子ＰＺに供給される駆動波形信号ＣＯＭを説明するためのタイ
ミングチャートである。
【００９４】
まず、図３に示すように、カラーフィルタ基板６が、その吐出面６ａを上側にして基板
ステージ１３に載置される。このとき、基板ステージ１３は、カラーフィルタ基板６をキ
ャリッジ１７の反Ｙ矢印方向に配置する。この状態から、入出力装置４０は、描画データ
Ｉｐと、基準駆動電圧データＩｖと、ヘッドデータＩｈと、を制御装置３０に入力する。
基準駆動電圧データＩｖ及びヘッドデータＩｈは、それぞれ液滴重量装置２３によって計
測された各液滴Ｄの実重量Ｉｗに基づいて生成されたものである。
【００９５】
この際、ヘッドデータＩｈは、最もＸ矢印方向に位置するノズルＮ（第１圧電素子ＰＺ
１）を「１」のランクに分類し、Ｘ矢印方向から数えて１０番目のノズルＮ（第１０圧電
素子ＰＺ１０）を「４」のランクに分類し、Ｘ矢印方向から数えて２０番目のノズルＮ（
第２０圧電素子ＰＺ２０）を「２」のランクに分類する。
【００９６】
制御装置３０は、モータ駆動回路３８を介してキャリッジ１７を走査し、カラーフィル
タ基板６がＹ矢印方向に走査されるときに各吐出ヘッド１８がカラーフィルタ基板６上を
通過するようにキャリッジ１７を配置する。制御装置３０は、キャリッジ１７を配置する
とモータ駆動回路３８を介して基板ステージ１３の走査を開始する。
【００９７】
制御装置３０は、入出力装置４０から入力された描画データＩｐをドットパターンデー
タに展開する。制御装置３０は、基板ステージ１３の１スキャン分に相当するドットパタ
ーンデータを展開すると、図１８に示すように、ドットパターンデータを用いてシリアル
パターンデータＳＩＡを生成し、該シリアルパターンデータＳＩＡを転送クロックＳＣＬ
Ｋに同期させてヘッド駆動回路４１にシリアル転送する。また、制御装置３０は、入出力
装置４０から入力されたヘッドデータＩｈをコモン選択データに展開する。制御装置３０
は、基板ステージ１３の１スキャン分に相当するコモン選択データを展開すると、図１８
に示すように、コモン選択データを用いてシリアルコモン選択データＳＩＢを生成し、該
シリアルコモン選択データＳＩＢを転送クロックＳＣＬＫに同期させてヘッド駆動回路４
１にシリアル転送する。
【００９８】
制御装置３０は、基板ステージ１３が所定の描画開始位置に到達するとき、図１８に示
すように、パターンデータ用ラッチ信号ＬＡＴＡ及びコモン選択データ用ラッチ信号ＬＡ
ＴＢをヘッド駆動回路４１に出力し、ヘッド駆動回路４１にシリアルパターンデータＳＩ
Ａ及びシリアルコモン選択データＳＩＢをラッチさせる。
【００９９】
制御装置３０は、シリアルパターンデータＳＩＡとシリアルコモン選択データＳＩＢと
をラッチさせると、ステート切替え信号ＣＨＡをヘッド駆動回路４１に出力してステート
を「０」から「１」、「２」、「３」、・・・の順に切替えさせる。この際、制御装置３
０は、基準駆動電圧データＩｖを参照して駆動波形生成回路３６に４種類の駆動波形信号
ＣＯＭ（第１駆動波形信号ＣＯＭＡ，第２駆動波形信号ＣＯＭＢ，第３駆動波形信号ＣＯ
ＭＣ，第４駆動波形信号ＣＯＭＤ）を生成させる。制御装置３０は、第１〜第４駆動波形
信号ＣＯＭＡ，ＣＯＭＢ，ＣＯＭＣ，ＣＯＭＤをそれぞれパターンデータ用ラッチ信号Ｌ
ＡＴＡとステート切替え信号ＣＨＡとに同期させヘッド駆動回路４１に逐次出力する。
【０１００】
ヘッド駆動回路４１は、シリアルパターンデータＳＩＡをラッチすると、上位選択デー
タＳＩＨ及び下位選択データＳＩＬと、図１０に示す真理値表に従って、パターンデータ
ＳＰの各データをそれぞれ各ステートに対応させ、１８０個の各ノズルＮ（圧電素子ＰＺ
）に対し各ステートにおける吐出・非吐出を規定する。例えば、図１８に示すように、第
１圧電素子ＰＺ１及び第１０圧電素子ＰＺ１０には、「２」、「３」、「４」、「５」の
各ステートで液滴Ｄの吐出を選択させる。第２０圧電素子ＰＺ２０には、「１」、「３」
、「５」、「７」の各ステートで液滴Ｄの吐出を選択させる。
【０１０１】
この結果、各ノズルＮは、それぞれ所望する駆動パルスのパターンに従って駆動し、所
望する階調のドットを形成する。
また、ヘッド駆動回路４１は、シリアルコモン選択データＳＩＢをラッチすると、上位
選択データＳＸＨ及び下位選択データＳＸＬと、図１２に示す真理値表に従って、１８０
個の各ノズルＮ（圧電素子ＰＺ）にそれぞれ駆動波形信号ＣＯＭの種別を規定する。
【０１０２】
例えば、ランク「１」に規定された第１圧電素子ＰＺ１は、対応する上位選択データＳ
ＸＨ及び下位選択データＳＸＬが“００”であるため、図１２に示す真理値表に従って、
第１駆動波形信号ＣＯＭＡが規定される。すなわち、「１」のランクに分類された第１圧
電素子ＰＺ１には、同ランクに対応する第１駆動波形信号ＣＯＭＡが供給される。また、
ランク「４」に規定された第１０圧電素子ＰＺ１０は、対応する上位選択データＳＸＨ及
び下位選択データＳＸＬが“１１”であるため、図１２に示す真理値表に従って、第４駆
動波形信号ＣＯＭＤが規定される。すなわち、「４」のランクに分類された第１０圧電素
子ＰＺ１０には、同ランクに対応する第４駆動波形信号ＣＯＭＤが供給される。さらに、
ランク「２」に規定された第２０圧電素子ＰＺ２０は、対応する上位選択データＳＸＨ及
び下位選択データＳＸＬが“０１”であるため、図１２に示す真理値表に従って、第２駆
動波形信号ＣＯＭＢが規定される。すなわち、「２」のランクに分類された第２０圧電素
子ＰＺ２０には、該ランクに対応する第２駆動波形信号ＣＯＭＢが供給される。
【０１０３】
この結果、液滴Ｄを吐出する全てのノズルＮは、それぞれランクに応じた駆動波形信号
ＣＯＭを受け、共通する基準重量の液滴Ｄを吐出させる。
次に、上記のように構成した本実施形態の効果を以下に記載する。
【０１０４】
（１）上記実施形態によれば、複数のノズルＮの各々に対し吐出する液滴Ｄの重量に応
じた「１」〜「４」のランクを対応付けた。また、吐出する液滴Ｄの実重量Ｉｗが予め規
定した所定の基準重量になるように、ランクに対応する駆動波形信号ＣＯＭ（第１駆動波
形信号ＣＯＭＡ、第２駆動波形信号ＣＯＭＢ、第３駆動波形信号ＣＯＭＣ、第４駆動波形
信号ＣＯＭＤ）を生成した。そして、描画データに基づいて選択される各圧電素子ＰＺに
対し同ノズルＮのランクに対応する駆動波形信号ＣＯＭを供給し、選択されたノズルＮか
ら吐出面に向けて基準重量の液滴Ｄを吐出させた。
【０１０５】
したがって、描画データＩｐに基づいて選択されるノズルＮは、設定されたランクに対
応する駆動波形信号ＣＯＭを受けて、予め規定された基準重量の液滴Ｄを吐出させる。こ
の結果、複数のノズルＮの各々は、ランクごとの駆動波形信号ＣＯＭによって、吐出する
液滴Ｄの重量が所定の基準重量に規格化される。よって、液滴Ｄの重量がノズルＮごとに
較正されるため、カラーフィルタＣＦの膜厚均一性を向上させることができる。
【０１０６】
（２）上記実施形態によれば、コモン選択データ（シリアルコモン選択データＳＩＢ）
を生成し、ステートごとに、１８０個の全てのノズルＮに対しランクに対応する駆動波形
信号ＣＯＭを対応付けた。また、パターンデータ（シリアルパターンデータＳＩＡ）を生
成し、ステートごとに、１８０個の全てのノズルＮに対し液滴Ｄの吐出・非吐出を設定し
た。したがって、全てのノズルＮに対し、それぞれ液滴Ｄの吐出・非吐出が規定され、か
つ、ランクに対応する駆動波形信号ＣＯＭが対応付けられる。この結果、液滴Ｄを吐出す
るノズルＮは、より確実に、ランクに対応する駆動波形信号ＣＯＭによって駆動される。
【０１０７】
（３）しかも、全てのノズルＮに対し、ステートごとに、それぞれ液滴Ｄの吐出・非吐
出が規定され、かつ、ランクに対応する駆動波形信号ＣＯＭが対応付けられる。したがっ
て、液滴Ｄの吐出動作のたびに、各ノズルＮに対し、ランクに対応する駆動波形信号ＣＯ
Ｍが対応付けられる。この結果、吐出する液滴Ｄの全てを、より確実に、基準重量で規格
化させることができる。
【０１０８】
（４）上記実施形態では、液滴吐出装置１０に液滴Ｄの重量を計測する液滴重量装置２
３を搭載した。したがって、液滴の重量を液滴の吐出環境で計測させることができ、別途
外部装置で液滴の重量を計測させる場合に比べ、より正確な実重量Ｉｗを得ることができ
る。ひいては、液滴Ｄの実重量Ｉｗを、より正確に基準重量で規格化させることができる
。
【０１０９】
尚、上記実施形態は以下のように変更してもよい。
・上記実施形態では、制御装置３０がシリアルパターンデータＳＩＡを転送するたびに
、シリアルコモン選択データＳＩＢを転送する構成にした。そして、液滴Ｄの吐出・非吐
出を規定するための出力制御信号ＰＩを生成するたびに、駆動波形信号ＣＯＭの選択・非
選択を規定するための第１〜第４コモン選択制御信号ＰＸＡ，ＰＸＢ，ＰＸＣ，ＰＸＤを
生成させる構成にした。
【０１１０】
これに限らず、例えば、図１９に示すように、シリアルコモン選択データＳＩＢのみを
先行して転送し、コモン選択制御信号生成回路６０（下位選択データラッチ６２Ｂや上位
選択データラッチ６２Ｃ）に上位選択データＳＸＨと、下位選択データＳＸＬと、制御デ
ータＣＲと、を格納させる構成にしてもよい。そして、ヘッド駆動回路４１がシリアルパ
ターンデータＳＩＡをラッチして出力制御信号ＰＩを生成するたびに、先行して格納した
上位選択データＳＸＨと下位選択データＳＸＬとを利用し、第１〜第４コモン選択制御信
号ＰＸＡ，ＰＸＢ，ＰＸＣ，ＰＸＤを生成する構成にしてもよい。
【０１１１】
これによれば、単一のノズルＮに対し、各ステートに共通する駆動波形信号ＣＯＭを対
応付けることができる。よって、液滴Ｄを吐出する全てのノズルＮを、より確実に、ラン
クに対応した駆動波形信号ＣＯＭによって駆動させることができる。
【０１１２】
・上記実施形態では、制御部３２が描画データＩｐをドットパターンデータに展開処理
する構成にした。これに限らず、例えば、入出力装置４０が描画データＩｐをドットパタ
ーンデータに展開し、入出力装置４０がドットパターンデータを制御装置３０に入力する
構成にしてもよい。
【０１１３】
・上記実施形態では、アクチュエータを圧電素子ＰＺに具体化した。これに限らず、例
えば、アクチュエータを抵抗加熱素子に具体化してもよく、所定の駆動波形信号ＣＯＭを
受けて液滴Ｄを吐出させるものであればよい。
【０１１４】
・上記実施形態では、各吐出ヘッド１８が１８０個のノズルＮを１列だけ備える構成に
した。これに限らず、例えば、各吐出ヘッド１８が１８０個のノズルＮを２列以上備える
構成にしてもよく、さらには、列内のノズル数を１８０個よりも多い数量で具体化しても
よい。
【０１１５】
・上記実施形態では、電気光学装置を液晶表示装置１に具体化し、液滴Ｄによってカラ
ーフィルタＣＦを製造する構成にした。これに限らず、例えば、液滴Ｄによって液晶表示
装置１の配向膜を製造する構成にしてもよい。あるいは、電気光学装置をエレクトロルミ
ネッセンス表示装置として具体化し、発光素子形成材料を含む液滴Ｄを吐出して発光素子
を製造する構成にしてもよい。
【図面の簡単な説明】
【０１１６】
【図１】液晶表示装置を説明する斜視図。
【図２】同じく、カラーフィルタ基板を説明する斜視図。
【図３】同じく、液滴吐出装置を説明する斜視図。
【図４】同じく、液滴吐出ヘッドを説明する斜視図。
【図５】同じく、液滴吐出ヘッドを説明する要部断面図。
【図６】同じく、液滴吐出装置の電気的構成を説明する電気ブロック回路図。
【図７】同じく、ノズルのランクを説明する図。
【図８】同じく、駆動波形信号を説明する図。
【図９】同じく、シリアルパターンデータを説明する図。
【図１０】同じく、パターンデータを説明するタイミングチャート。
【図１１】同じく、シリアルコモン選択データを説明する図。
【図１２】同じく、ランクと駆動波形信号の関連を説明する図。
【図１３】同じく、ヘッド駆動回路を説明する電気ブロック回路図。
【図１４】同じく、出力制御信号生成回路を説明する電気ブロック回路図。
【図１５】同じく、パターンデータ合成回路を説明する回路図。
【図１６】同じく、コモン選択制御信号生成回路を説明する回路図。
【図１７】同じく、コモン選択データデコード回路を説明する回路図。
【図１８】同じく、ヘッド駆動回路の駆動タイミングを説明するタイミングチャート。
【図１９】変更例のヘッド駆動回路の駆動タイミングを説明するタイミングチャート。
【符号の説明】
【０１１７】
ＣＦ…薄膜としてのカラーフィルタ、Ｄ…液滴、Ｎ…ノズル、Ｉｐ…描画データ、ＰＩ
…出力制御信号、ＰＸＡ，ＰＸＢ，ＰＸＣ，ＰＸＤ…コモン選択制御信号、ＰＺ…アクチ
ュエータとしての圧電素子、１０…液滴吐出装置、１８…液滴吐出ヘッド、２３…液滴重
量装置、３３…記憶手段としてのＲＡＭ、３６…駆動波形生成手段としての駆動波形生成
回路、５０…出力制御信号生成手段としての出力制御信号生成回路、６０…コモン選択制
御信号生成手段としてのコモン選択制御信号生成回路、７０…出力手段を構成する出力合
成回路。
【図１】
2008136926.tif 000003
【図２】
2008136926.tif 000004
【図３】
2008136926.tif 000005
【図４】
2008136926.tif 000006
【図５】
2008136926.tif 000007
【図６】
2008136926.tif 000008
【図７】
2008136926.tif 000009
【図８】
2008136926.tif 000010
【図９】
2008136926.tif 000011
【図１０】
2008136926.tif 000012
【図１１】
2008136926.tif 000013
【図１２】
2008136926.tif 000014
【図１３】
2008136926.tif 000015
【図１４】
2008136926.tif 000016
【図１５】
2008136926.tif 000017
【図１６】
2008136926.tif 000018
【図１７】
2008136926.tif 000019
【図１８】
2008136926.tif 000020
【図１９】
2008136926.tif 000021